(57)【要約】【課題】処理限界を超えた状態の基地局が呼の接続に至らないことが確定している場合には、処理を行わずに付加を低減することにより遅延を解消する。【解決手段】基地局１１は内部に送受信処理部１２０を備え、接続要求信号１５を受信部１２１にて受信し、処理部１２３に転送し、この処理部１２３にて移動機１３及び移動機１４に対する無線接続のための処理を行い、接続設定応答信号１６を送信部１２５より送信する。基地局制御装置１２は基地局１１に接続要求信号１５を送信し、移動機１３及び移動機１４との間に音声などの伝送路を設定する。タイムスタンプ付加部１２２は接続要求信号１５を受信した際に受信時刻を保持する。処理部１２３はタイムスタンプ付加部１２２で保持した受信時刻と現在時刻の差分をとり、闘値を超えているかどうかで実際の処理を行うかどうかを判断する判断部１２４を有している。【選択図】      図１
2004260432.tif 000002
【特許請求の範囲】
【請求項１】
基地局と、この基地局を制御する基地局制御装置と、前記基地局と交信する移動機とであって、
前記移動機との間に伝送路を設定する場合、前記基地局制御装置より前記基地局に対して接続要求信号が送信され、前記基地局では前記接続要求信号を受信し、前記移動機に対する無線接続のための処理を行い、
無線接続処理終了後に、前記基地局は前記基地局制御装置に対して接続設定処理が完了したことを示す接続設定応答信号を送信し、
前記基地局制御装置は、前記接続設定応答信号を受信すると前記移動機との接続処理を行い前記移動機での通話を許可するとともに、処理負荷による遅延発生時には接続が行われなかったことを示す無接続通知応答信号を前記基地局より受信することで、それ以上の処理を中断し前記移動機に対して接続失敗を通知することを特徴とする基地局装置の遅延検知解消方式。
【請求項２】
基地局と、この基地局を制御する基地局制御装置と、前記基地局と交信する移動機とであって、
前記移動機から発信を行うと、前記基地局制御装置より前記移動機との無線区間の設定を行う接続要求信号が前記基地局に対して送られ、前記基地局では前記接続要求信号を受信すると前記移動機に対する無線接続のための処理を行い、無線接続処理終了後は前記基地局制御装置に対して接続設定処理が完了したことを示す接続設定応答信号を送信し、
前記基地局制御装置は、前記接続設定応答信号を受信すると音声接続のための有線側の処理を行い、これらの処理が終了すると前記移動機での通話を許可し、一方、接続が行われなかったことを示す無接続通知応答信号を受信すると、それ以上処理を行わず前記移動機に対して接続が失敗したことを通知することを特徴とする基地局装置の遅延検知解消方式。
【請求項３】
前記基地局は、送受信処理部を有し、
前記送受信処理部は、送信部と、受信部と、この受信部に含まれ前記接続要求信号を受信した際に受信時刻を保持するタイムスタンプ付加部と、処理部と、この処理部に含まれ前記タイムスタンプ付加部で保持した受信時刻と現在時刻の差分をとり、この差分が閾値を超えているかどうかで処置の継続を行うかどうかを判断する判断部とを備えたことを特徴とする請求項１又は請求項２記載の基地局装置の遅延検知解消方式。
【請求項４】
前記受信部は、
前記接続要求信号を受信した後、直ちに受信時の時刻を読み出しその受信時刻を記録したタイムスタンプを受信要求信号に付加し、前記タイムスタンプを付加した前記受信要求信号は前記処理部に送信され、前記処理部の処理キューに積まれ実際に処理されるのを待つことを特徴とする請求項３記載の基地局装置の遅延検知解消方式。
【請求項５】
前記処理部は
前記受信部からの前記受信要求信号を前記処理キューから取り出すと、前記タイムスタンプ付加部で付加された受信時刻を示すタイムスタンプと現在の時刻との比較を行い、受信時刻と現在時刻の差が許容範囲内かどうかを判定し、比較した結果閾値未満であった場合には、前記処理部は前記移動機に対する無線接続のための処理を行い、処理終了後は接続処理が完了したことを示す応答信号を作成し、前記送信部より接続設定応答信号の送信を行うことを特徴とする請求項３又は請求項４記載の基地局装置の遅延検知解消方式。
【請求項６】
請求項５記載の基地局装置の遅延検知解消方式において、
比較した結果が閾値以上であった場合には無線接続のための処理は行わず、即座に接続が行われなかったことを示す無接続通知応答信号を作成し、前記送信部から送信することを特徴とする基地局装置の遅延検知解消方式。
【請求項７】
前記送信部から前記基地局制御装置に送信される前記接続設定応答信号は、前記応答信号及び前記無接続通知応答信号を含むことを特徴とする請求項５又は請求項６記載の基地局装置の遅延検知解消方式。
【請求項８】
前記基地局制御装置は、接続処理が完了したことを示す前記接続設定応答信号を受信すると音声接続のための有線側の処理を行い、これらの処理が終了すると前記移動機の通話を許可し、一方、接続が行われなかったことを示す前記無接続通知応答信号を受信すると、それ以上処理を行わず前記移動機に対しても接続が失敗したことを通知することを特徴とする請求項３記載の基地局装置の遅延検知解消方式。
【請求項９】
前記基地局制御装置は、
前記基地局の処理付加のために接続が行われなかったことを示す無接続通知応答信号を受信した際に、前記基地局が安定するまで前記接続要求信号を送信しないことを特徴とする請求項３記載の基地局装置の遅延検知解消方式。
【請求項１０】
基地局と、この基地局を制御する基地局制御装置と、前記基地局と交信する移動機とであって、
前記移動機から発信を行うと、前記基地局に対しては前記基地局制御装置より前記移動機との無線区間の設定を行う接続要求信号が送られ、前記基地局の受信部が接続要求信号を受信する接続要求受信ステップと；
受信した後、受信時の時刻を読み出しその受信時刻を記録したタイムスタンプを受信要求信号に付加する受信時刻記録ステップと；
前記タイムスタンプを付加された前記受信要求信号は処理部に送信され、前記処理部の処理キューに積まれ実際に処理されるのを持つ処理部送信ステップと；前記処理部では前記受信部からの前記受信要求信号を前記処理キューから取り出す受信要求取り出しステップと；
付加された前記受信時刻を示す前記タイムスタンプと現在の時刻との比較を行い、前記受信時刻と現在時刻の差が許容範囲内かどうかを判定する判定ステップと；
この判定ステップで、比較した結果閾値未満であった場合には、前記処理部は前記移動機に対する無線接続のための処理を行う無線接続処理ステップと；
無線接続処理終了後は、接続処理が完了したことを示す応答信号を作成し、前記判定ステップで、比較した結果が閾値以上であった場合には無線接続のための処理は行わず、即座に接続が行われなかったことを示す無接続通知応答信号を作成する応答作成ステップと：
前記送信部より接続設定応答信号の送信を行う応答送信ステップと；
を備えたことを特徴とする基地局装置の遅延検知解消の方法。
【請求項１１】
前記基地局制御装置は、前記無線接続処理が完了したことを示す接続設定応答信号を受信すると音声接続のための有線側の処理を行い、これらの処理が終了すると前記移動機での通話を許可し、一方、接続が行われなかったことを示す無接続通知応答信号を受信すると、それ以上処理を行わず前記移動機に対しても接続が失敗したことを通知することを特徴とする請求項１０記載の基地局装置の遅延検知解消の方法。
【請求項１２】
前記基地局制御装置側は、前記基地局の処理負荷のために接続が行われなかったことを示す前記無接続通知応答信号を前記基地局から受信した際に、前記基地局が安定するまで前記接続要求信号を送信しないことを特徴とする請求項１０又は請求項１１記載の基地局装置の遅延検知解消の方法。
【発明の詳細な説明】
【０００１】
【発明の属する技術分野】
本発明は基地局装置の遅延検知解消方式に関し、特に移動体通信の基地局において処理負荷による遅延を検知し、遅延状態をできる限り早く解消することにより処理の効率化を図る基地局装置の遅延検知解消方式に関する。
【０００２】
【従来の技術】
一般に、移動体通信の基地局において処理負荷による遅延を検知し、その遅延状態を出来る限り早く解消することにより処理の効率化を図り、結果的に多くの呼を処理することが要求される。こうした装置では通常基地局制御装置などの上位ノードによって輻輳制御が行われていること、また上位ノードでの処理能力の関係から基地局装置にて処理の輻輳が起こることはあまり無いとされている。
【０００３】
上位ノードでは有線回線や無線回線トラヒックについての輻輳に関して検出を行っているが、基地局装置の処理付加に関しては余り重要視されていないことが多い。しかしながら、基地局装置では回線の利用率が低い場合でも瞬間的な負荷などで処理に遅延が発生してしまい、そのため上位ノードでタイムアウトが起こり接続できない呼が発生してしまう場合などがある。
【０００４】
また、一度発生した遅延は遅延の元となった処理がある程度処理されるまで解消されることはなく、遅延が発生している間にも上位ノードからさらに接続要求を受信することにより、さらなる輻輳状態を招いてしまうことになる。従って、基地局としては不要な処理を減らし、可能な限り早く処理限界を超えた状態を解消する必要がある。
【０００５】
従来の基地局装置の遅延検知解消方式は、基地局及びユーザ局間で同期がとられ、パケット最小入力時間間隔以上の刻み幅のタイムスタンプ値を送信局側でパケットに付加し、受信局側ではパケットの受信毎に付加されたタイムスタンプ値を参照し、パケットの送信側に入力された時刻に対し所定の遅延時間経過後に、パケットをタイムスタンプの刻み幅の時間内に出力することで、基地局でのパケット処理の負荷を小さくし、処理遅延時間を一定にし、多数のユーザ局収容に対して基地局の処理増大を抑制している（例えば、特許文献１参照。）。
【０００６】
また、受信品質が閾値より小さいとき受信データを廃棄することで不要な受信データが減少し、基地局と基地局制御装置間のトラヒックの低減を図っているものもある（例えば、特許文献２参照。）。
【０００７】
【特許文献１】
特開２０００−６９０９３号公報（第２−６頁）
【特許文献２】
特開２００１−３５２５７２号公報（第２−４頁、図１）
【０００８】
【発明が解決しようとする課題】
上述した従来の基地局装置の遅延検知解消方式は、基地局装置では回線の利用率が低い場合でも瞬間的な負荷などで処理に遅延が発生してしまい、そのため上位ノードでタイムアウトが起こり接続できない呼が発生してしまうという欠点を有している。
【０００９】
また、一度発生した遅延は遅延の元となった処理がある程度処理されるまで解消されることはなく、遅延が発生している間にも上位ノードからさらに接続要求を受信することによりさらなる輻輳状態を招いてしまうという欠点を有している。
【００１０】
この遅延は処理負荷が一定値以下になるまで発生し、その間に処理が増加すればさらに増加してしまうので、遅延が一定以上の場合は呼の接続には至らず、このために行われた処理はすべて無駄になってしまうという欠点を有している。
【００１１】
本発明の目的は、基地局装置においてこのような処理負荷による遅延が発生した場合に、上位ノードにてタイムアウトとなることが確定している呼に関しては内部の処理や無線部分に関する設定などの処理を行わず、基地局装置の処理限界を超えているとしてすぐに接続に失敗したことを示す応答メッセージを返すようにすることで、結果的に無駄となる処理に処理能力を奪われることなく全体としての処理量を減らすことで負荷を低減し、高負荷状態をできるかぎり早く解消し迅速に定常状態に遷移させる基地局装置の遅延検知解消方式を提供することにある。
【００１２】
【課題を解決するための手段】
本発明の第１の基地局装置の遅延検知解消方式は、
基地局と、この基地局を制御する基地局制御装置と、前記基地局と交信する移動機とであって、
前記移動機との間に伝送路を設定する場合、前記基地局制御装置より前記基地局に対して接続要求信号が送信され、前記基地局では前記接続要求信号を受信し、前記移動機に対する無線接続のための処理を行い、
無線接続処理終了後に、前記基地局は前記基地局制御装置に対して接続設定処理が完了したことを示す接続設定応答信号を送信し、
前記基地局制御装置は、前記接続設定応答信号を受信すると前記移動機との接続処理を行い前記移動機での通話を許可するとともに、処理負荷による遅延発生時には接続が行われなかったことを示す無接続通知応答信号を前記基地局より受信することで、それ以上の処理を中断し前記移動機に対して接続失敗を通知することを特徴としている。
【００１３】
本発明の第２の基地局装置の遅延検知解消方式は、
基地局と、この基地局を制御する基地局制御装置と、前記基地局と交信する移動機とであって、
前記移動機から発信を行うと、前記基地局制御装置より前記移動機との無線区間の設定を行う接続要求信号が前記基地局に対して送られ、前記基地局では前記接続要求信号を受信すると前記移動機に対する無線接続のための処理を行い、無線接続処理終了後は前記基地局制御装置に対して接続設定処理が完了したことを示す接続設定応答信号を送信し、
前記基地局制御装置は、前記接続設定応答信号を受信すると音声接続のための有線側の処理を行い、これらの処理が終了すると前記移動機での通話を許可し、一方、接続が行われなかったことを示す無接続通知応答信号を受信すると、それ以上処理を行わず前記移動機に対して接続が失敗したことを通知することを特徴としている。
【００１４】
本発明の第３の基地局装置の遅延検知解消方式は、前記第１または第２の基地局装置の遅延検知解消方式において、
前記基地局は、送受信処理部を有し、
前記送受信処理部は、送信部と、受信部と、この受信部に含まれ前記接続要求信号を受信した際に受信時刻を保持するタイムスタンプ付加部と、処理部と、この処理部に含まれ前記タイムスタンプ付加部で保持した受信時刻と現在時刻の差分をとり、この差分が閾値を超えているかどうかで処置の継続を行うかどうかを判断する判断部とを備えたことを特徴としている。
【００１５】
本発明の第４の基地局装置の遅延検知解消方式は、前記第３の基地局装置の遅延検知解消方式において、
前記受信部は、
前記接続要求信号を受信した後、直ちに受信時の時刻を読み出しその受信時刻を記録したタイムスタンプを受信要求信号に付加し、前記タイムスタンプを付加した前記受信要求信号は前記処理部に送信され、前記処理部の処理キューに積まれ実際に処理されるのを待つことを特徴としている。
【００１６】
本発明の第５の基地局装置の遅延検知解消方式は、前記第３または第４の基地局装置の遅延検知解消方式において、
前記処理部は
前記受信部からの前記受信要求信号を前記処理キューから取り出すと、前記タイムスタンプ付加部で付加された受信時刻を示すタイムスタンプと現在の時刻との比較を行い、受信時刻と現在時刻の差が許容範囲内かどうかを判定し、比較した結果閾値未満であった場合には、前記処理部は前記移動機に対する無線接続のための処理を行い、処理終了後は接続処理が完了したことを示す応答信号を作成し、前記送信部より接続設定応答信号の送信を行うことを特徴としている。
【００１７】
本発明の第６の基地局装置の遅延検知解消方式は、前記第５の基地局装置の遅延検知解消方式において、
比較した結果が閾値以上であった場合には無線接続のための処理は行わず、即座に接続が行われなかったことを示す無接続通知応答信号を作成し、前記送信部から送信することを特徴としている。
【００１８】
本発明の第７の基地局装置の遅延検知解消方式は、前記第５または第６の基地局装置の遅延検知解消方式において、
前記送信部から前記基地局制御装置に送信される前記接続設定応答信号は、前記応答信号及び前記無接続通知応答信号を含むことを特徴としている。
【００１９】
本発明の第８の基地局装置の遅延検知解消方式は、前記第３の基地局装置の遅延検知解消方式において、
前記基地局制御装置は、接続処理が完了したことを示す前記接続設定応答信号を受信すると音声接続のための有線側の処理を行い、これらの処理が終了すると前記移動機の通話を許可し、一方、接続が行われなかったことを示す前記無接続通知応答信号を受信すると、それ以上処理を行わず前記移動機に対しても接続が失敗したことを通知することを特徴としている。
【００２０】
本発明の第９の基地局装置の遅延検知解消方式は、前記第３の基地局装置の遅延検知解消方式において、
前記基地局制御装置は、
前記基地局の処理付加のために接続が行われなかったことを示す無接続通知応答信号を受信した際に、前記基地局が安定するまで前記接続要求信号を送信しないことを特徴としている。
【００２１】
本発明の第１０の基地局装置の遅延検知解消方式は、
基地局と、この基地局を制御する基地局制御装置と、前記基地局と交信する移動機とであって、
前記移動機から発信を行うと、前記基地局に対しては前記基地局制御装置より前記移動機との無線区間の設定を行う接続要求信号が送られ、前記基地局の受信部が接続要求信号を受信する接続要求受信ステップと；
受信した後、受信時の時刻を読み出しその受信時刻を記録したタイムスタンプを受信要求信号に付加する受信時刻記録ステップと；
前記タイムスタンプを付加された前記受信要求信号は処理部に送信され、前記処理部の処理キューに積まれ実際に処理されるのを持つ処理部送信ステップと；前記処理部では前記受信部からの前記受信要求信号を前記処理キューから取り出す受信要求取り出しステップと；
付加された前記受信時刻を示す前記タイムスタンプと現在の時刻との比較を行い、前記受信時刻と現在時刻の差が許容範囲内かどうかを判定する判定ステップと；
この判定ステップで、比較した結果閾値未満であった場合には、前記処理部は前記移動機に対する無線接続のための処理を行う無線接続処理ステップと；
無線接続処理終了後は、接続処理が完了したことを示す応答信号を作成し、前記判定ステップで、比較した結果が閾値以上であった場合には無線接続のための処理は行わず、即座に接続が行われなかったことを示す無接続通知応答信号を作成する応答作成ステップと：
前記送信部より接続設定応答信号の送信を行う応答送信ステップと；
を備えた方法を特徴としている。
【００２２】
本発明の第１１の基地局装置の遅延検知解消方式は、前記第１０の基地局装置の遅延検知解消方式において、
前記基地局制御装置は、前記無線接続処理が完了したことを示す接続設定応答信号を受信すると音声接続のための有線側の処理を行い、これらの処理が終了すると前記移動機での通話を許可し、一方、接続が行われなかったことを示す無接続通知応答信号を受信すると、それ以上処理を行わず前記移動機に対しても接続が失敗したことを通知する方法を特徴としている。
【００２３】
本発明の第１２の基地局装置の遅延検知解消方式は、前記第１０または第１１の基地局装置の遅延検知解消方式において、
前記基地局制御装置側は、前記基地局の処理負荷のために接続が行われなかったことを示す前記無接続通知応答信号を前記基地局から受信した際に、前記基地局が安定するまで前記接続要求信号を送信しない方法を特徴としている。
【００２４】
【発明の実施の形態】
次に、本発明の実施の形態について図面を参照して説明する。
【００２５】
図１は本発明の基地局装置の遅延検知解消方式の一つの実施の形態を示すブロック図である。
【００２６】
図１に示す本実施の形態は、基地局１１と、基地局１１を制御する基地局制御装置１２と、基地局１１と交信する移動機１３及び移動機１４とから構成されている。
【００２７】
また、基地局１１が内部に有する送受信処理部１２０は、送信部１２５、受信部１２１、受信部１２１に含まれるタイムスタンプ付加部１２２、処理部１２３、処理部１２３に含まれる判断部１２４を有している。
【００２８】
通常、移動機１３及び移動機１４との間に音声などの伝送路を設定する場合、基地局制御装置１２より基地局１１に対して接続要求信号１５が送信される。基地局１１では接続要求信号１５を受信部１２１にて受信し、処理部１２３に転送し、この処理部１２３にて移動機１３及び移動機１４に対する無線接続のための処理を行う。
【００２９】
無線接続処理終了後は基地局制御装置１２に対して接続設定処理が完了したことを示す接続設定応答信号１６を送信部１２５より送信する。
【００３０】
なお、受信部１２１にタイムスタンプ付加部１２２を有しており、接続要求信号１５を受信した際に受信時刻を保持できるようになっている。
【００３１】
また、処理部１２３はタイムスタンプ付加部１２２で保持した受信時刻と現在時刻の差分をとり、閾値を越えているかどうかで実際の処理を行うかどうかを判断する判断部１２４を有している。
【００３２】
なおここでは、基地局制御装置１２より上位の装置に関しては便宜上省略している。
【００３３】
図２は基地局装置の受信部の動作を示すフローチャートである。
【００３４】
図３は基地局装置の判断部の動作を示すフローチャートである。
【００３５】
次に、図１、図２及び図３を参照して本実施の形態の動作をより詳細に説明する。
【００３６】
図１を参照して、移動機１３から発信を行うと、基地局１１に対しては基地局制御装置１２より移動機１３との無線区間の設定等を行う接続要求信号１５が送られてくる。基地局１１では接続要求信号１５を受信すると、受信部１２１にて図２に示す処理が行われる。
【００３７】
受信部１２１では接続要求信号１５を受信した後（ステップ１：Ｓ１）、すぐに受信時の時刻を読み出しその受信時刻を記録したタイムスタンプを受信要求信号１２６に付加する（ステップ２：Ｓ２）。タイムスタンプを付加された受信要求信号１２６は処理部１２３に送信され、処理部１２３の処理キューに積まれ実際に処理されるのを待つ（ステップ３：Ｓ３）。
【００３８】
一方、処理部１２３では図３に示す処理が行われる。
【００３９】
処理部１２３では受信部１２１からの受信要求信号１２６をキューから取り出すと（ステップ１：Ｒ１）と、タイムスタンプ付加部１２２で付加された受信時刻を示すタイムスタンプと現在時刻との比較を行い、受信時刻と現在時刻の差が許容範囲内かどうかを判定する（ステップ２：Ｒ２）。比較した結果閾値未満であった場合には、処理部１２３は移動機１３に対する無線接続のための処理を行う（ステップ３：Ｒ３）。
【００４０】
処理終了後は接続処理が完了したことを示す応答信号１２７を作成し（ステップ４：Ｒ４）、送信部１２５より接続設定応答信号１６の送信を行う（ステップ５：Ｒ５）。なお、ステップ２で、比較した結果が闘値以上であった場合にはステップ４に進み、無線接続のための処理は行わず、即座に接続が行われなかったことを示す無接続通知応答信号１２８を作成し、送信部１２５から送信を行う。
【００４１】
送信部１２５から基地局制御装置１２に送信される接続設定応答信号１６は、応答信号１２７及び無接続通知応答信号１２８を含む。
【００４２】
基地局制御装置１２では、接続処理が完了したことを示す接続設定応答信号１６を受信すると音声接続のための有線側の処理などを行う。これらの処理が終了すると移動機１３での通話が可能となる。一方、接続が行われなかったことを示す無接続通知応答信号１２８を受信すると、それ以上処理を行わず移動機１３に対しても接続が失敗したことを通知する。
【００４３】
上述した動作例では基地局１１にて行う処理に関して説明をしたが、基地局制御装置１２側で基地局１１の処理負荷のために接続が行われなかったことを示す無接続通知応答信号１２８を受信した際に、基地局１１が安定するまで接続要求信号１５を送信しないといった処理も考えられる。
【００４４】
基地局１１から見て、基地局制御装置１２と通信を行っているのが受信部１２１と送信部１２５である。受信部１２１では接続要求信号１５を基地局制御装置１２から受信した時点で、タイムスタンプ付加部１２２により受信した際の時刻情報を受信した受信要求信号１２６に付加する。実際に処理部１２３では処理が可能となった時点で判断部１２４にて処理を行う。
【００４５】
つまり、受信部にて受信した際に付加された時刻情報と現在の時刻とを比較し閾値を超えていなければ実際の処理を行い、設定後正しく設定されたことを示す応答として、応答信号１２７を送信部１２５より受信する。閾値を超えていた場合には処理を行わず直ちに設定されなかったことを報告する応答として、無接続通知応答信号１２８を送信部１２５より送信することになる。
【００４６】
このように待ち時間の閾値を超えた要求に関しては処理を行わないことで、不要となってしまう処理による負荷を軽減することができ、結果的に多くの呼を設定できる。
【００４７】
図４は基地局における処理負荷に対する遅延の関係を示す図である。
【００４８】
図４で縦軸は遅延時間を示し、横軸は処理量を示す。処理量が基地局の処理能力限界点Ａを超えていなければ、遅延時間は実際の処理時間のみとなるため常に一定である。しかし、処理量が処理能力限界点Ａを超えると処理しきれない処理が積み重なっていき、徐々に遅延が発生し遅延時間が増大する。遅延時間が遅延許容限界点Ｂを超えると上位のプロトコルでタイムアウトが発生し、結果的に呼の接続はできなくなってしまう。この遅延は処理負荷が一定値以下になるまで発生し、その間に処理が増加すればさらに増加してしまう。
【００４９】
従って、遅延が一定以上の遅延許容限界点Ｂを超えた場合は呼の接続には至らず、このために行われた処理はすべて無駄になってしまうので、基地局としては不要な処理を減らし可能な限り早く処理限界を超えた状態を解消する必要がある。
【００５０】
本発明はこの様な処理限界を超えた状態の基地局において呼の接続に至らないことが確定している場合には処理を行わず、負荷を低減することにより迅速に定常状態へと遷移させるものである。
【００５１】
上述のとおり、基地局装置においてこのような処理負荷による遅延が発生した場合に、上位ノードにてタイムアウトとなることが確定している呼に関しては内部の処理や無線部分に関する設定などの処理を行わず、基地局装置の処理限界を超えているとしてすぐに接続に失敗したことを示す応答メッセージを返すようにすることにより、結果的に無駄となってしまう処理に処理能力を奪われることなく全体としての処理量を減らすことで高負荷状態を解消することができる。
【００５２】
【発明の効果】
以上説明したように、本発明の基地局装置の遅延検知解消方式は、基地局にて処理負荷による遅延が発生した場合、処理を行ってもタイムアウトしてしまい呼接続にまで至らない処理に関して処理を省くことができるので、処理量自体を削減し処理負荷による遅延状態を迅速に解消し、無駄となる処理を行わないという効果を有している。
【００５３】
また、処理を行うか行わないかの判断をタイムスタンプの負荷とその比較という単純なアルゴリズムで行うので、判断処理自体の処理負荷によって新たなる遅延を発生させる原因となる事態を避けるという効果を有している。
【図面の簡単な説明】
【図１】本発明の基地局装置の遅延検知解消方式の一つの実施の形態を示すブロック図である。
【図２】基地局装置の受信部の動作を示すフローチャートである。
【図３】基地局装置の判断部の動作を示すフローチャートである。
【図４】基地局における処理負荷に対する遅延の関係を示す図である。
【符号の説明】
１１    基地局
１２    基地局制御装置
１３，１４    移動機
１５    接続要求信号
１６    接続設定応答信号
１２０    送受信処理部
１２１    受信部
１２２    タイムスタンプ付加部
１２３    処理部
１２４    判断部
１２５    送信部
１２６    受信要求信号
１２７    応答信号
１２８    無接続通知応答信号
【図１】
2004260432.tif 000003
【図２】
2004260432.tif 000004
【図３】
2004260432.tif 000005
【図４】
2004260432.tif 000006